(57)【要約】【課題】  浴槽のフランジ部にヘッドレストのような隆起部が形成されている場合において、多種の隆起部に対応できるよう風呂蓋の凹部を大きく取っても、断熱性を損なうことなく強度を確保できるような風呂蓋を提供する。  【解決手段】  フランジ部１ａにヘッドレストのような隆起部２が形成されている浴槽１に対応し得るようになした風呂蓋であって、風呂蓋３の裏面には浴槽フランジ部より上方に突出した隆起部全体を覆うことが可能な凹部５ａを有し、風呂蓋の上面には前記凹部に沿うように形成された凸部５ｂを有し、かつ前記凸部と凹部の厚みは、前記凸部および前記凹部と干渉しない部分の風呂蓋と同程度の断熱性能を確保できる厚みにした。【選択図】  図１
2008161398.tif 000002
【特許請求の範囲】
【請求項１】
フランジ部にヘッドレストのような隆起部が形成されている浴槽に対応し得るようになした風呂蓋であって、前記風呂蓋の裏面には前記フランジ部より上方に突出した前記隆起部全体を覆うことが可能な凹部と、風呂蓋の上面には前記凹部に沿うように所定の厚みを有して形成された凸部と、を備え、前記凸部と凹部との間の厚みは、前記凸部および前記凹部と干渉しない部分の風呂蓋と略同一の厚みを持つことを特徴とした風呂蓋。
【請求項２】
蓋本体は断熱心材を中心部に配置し、その表裏両面に化粧板を積層一体化すると共に、外周部にエッジプロテクターを付設した、複数枚のパネルからなる割蓋であって、複数枚の分割パネルのうち前記凸部および前記凹部を有したパネルが少なくとも二つ設けられており、前記凸部および前記凹部を有した異なるパネルはそれぞれ上記凸部と上記凹部を重ねて収納することが可能であることを特徴とした請求項１に記載の風呂蓋。
【請求項３】
上記凸部が蓋の開閉時に取っ手となり得る形状をなした請求項１または請求項２に記載の風呂蓋。
【発明の詳細な説明】
【技術分野】
【０００１】
本発明は浴槽のフランジ部開口を覆って湯温の低下を防ぐ風呂蓋に関する。
【背景技術】
【０００２】
浴槽に張った湯温の低下を抑えるために、従来から風呂蓋を用いて保温性を高める方法があり、風呂蓋の断熱性能が保温特性に影響を与えることは、既に知られている。
【０００３】
風呂蓋には２枚や３枚など複数枚のパネルから成る組合せ蓋や、押出成形した細長い部材をつなげた巻蓋などがあるが、これまでの風呂蓋はどちらも浴槽フランジ部が全体に平坦面となっているものを想定していた。しかし、意匠性や入浴感向上のため近年のフランジ部にヘッドレスト等の隆起部が設けられた浴槽が求められるようになってきた。
【０００４】
このため従来技術として、浴槽開口縁の上方に突出したヘッドレストによって風呂蓋を置いた際に隙間が生じないように、断熱風呂蓋の底面を切り欠いた凹部を設けたものが開示されている。（例えば特許文献１）
このように、浴槽フランジ部が平坦面でない場合の風呂蓋も存在するが、従来技術では蓋の上面がフラットであるため、隆起部に当接する凹部の蓋厚が薄くなり、当該部分では十分な断熱性能が得られなくなってしまう。また同時に蓋厚が薄くなることで強度が小さくなってしまうという問題があった。
【０００５】
また、切り欠きの際には風呂蓋の厚みの範囲内の長さしか確保できないため、隆起部の高さが高い場合には隙間が出来てしまうという問題や、デザイン上の制約があった。
特に多種の隆起部に対応できるようにすると凹部の面積が大きくなり、強度等の問題はより大きくなる。
【特許文献１】特開２００６−２３８９９１号公報
【発明の開示】
【発明が解決しようとする課題】
【０００６】
本発明は、上記問題を解決するためになされたもので、本発明の課題は、多種の隆起部に対応できるよう風呂蓋の凹部を大きく取っても、断熱性を損なうことなく、且つ強度を確保できるような風呂蓋を提供することである。
【課題を解決するための手段】
【０００７】
上記目的を達成するために本発明によれば、フランジ部にヘッドレストのような隆起部が形成されている浴槽に対応し得るようになした風呂蓋であって、風呂蓋の裏面には浴槽フランジ部より上方に突出した隆起部全体を覆うことが可能な凹部を有し、風呂蓋の上面には前記凹部に沿うように形成された凸部を有し、かつ前記凸部と凹部の厚みは、前記凸部および前記凹部と干渉しない部分の風呂蓋と略同一の厚みであることを特徴とすることにより、多種の隆起部に対応できるよう風呂蓋の凹部を大きく取っても、断熱性を損なうことなく、且つ強度を確保することを可能とした。
【発明の効果】
【０００８】
上記のような構成によれば浴槽のフランジ部にヘッドレストや背もたれのような隆起部が形成されている浴槽であっても施蓋状態における隙間の発生を防ぐことができ、蓋本体を切り欠くことなく上記隆起部を覆うことが可能であり、蓋本体の厚みが薄くなることがないので断熱性を損なうことなく、大きな隆起部に対しても対応できるように凹部を大きくしても強度を確保できる。また、前記隆起部の高さや形状に関係なく施蓋でき、風呂蓋と浴槽の製造誤差を吸収することができる。
【０００９】
また本発明の好ましい形態によれば、割蓋を収納する時に風呂蓋の上記凸部を重ねられるようにして、省スペースでの収納時を可能とした。
【００１０】
さらに本発明の好ましい形態によれば、従来は蓋上面を切り欠いて付けていた取っ手を上記凸部と兼用させることで、切り欠きによる蓋の厚みを損なうことなく取っ手を付けることが可能である。
【発明を実施するための最良の形態】
【００１１】
以下、図面に基づき本発明にかかる風呂蓋の実施形態を詳細に説明する。
【００１２】
図１はフランジ部にヘッドレストないし背もたれのような隆起部が形成された浴槽の斜視図であり、図２は前記浴槽と本発明の風呂蓋との対応を示した斜視図、図３には本発明の風呂蓋を前記浴槽上面に施蓋した状態の斜視図、また図４は浴槽に風呂蓋を施蓋した状態の部分断面拡大図である。図５は前記隆起部を覆うことができる部分の斜視図、図６は巻蓋で構成した本発明における風呂蓋の斜視図、図７は前記隆起部を覆うことができる部分を取っ手を兼ねた形状にした一例である。
【００１３】
図１において、浴槽１は本発明の風呂蓋が対応し得る、フランジ部にヘッドレストないし背もたれのような隆起部が形成されている浴槽である。浴槽１は、短辺側上面から略水平状に外側に突出形成されたフランジ１ａと、長辺側上面から略水平状に外側に突出形成されたリム１ｂと、浴槽フランジ部下方に略筒状になした浴槽内面１ｃと、底面１ｄから構成される。
フランジ１ａの上方からは更に上方に隆起したヘッドレストないし背もたれのような隆起部２が一体形成されており、この前記隆起部２は浴槽内面１ｃに沿ってフランジ１ａの上方まで形成されており、前記隆起部２は浴槽内面１ｃから連続していることから背もたれとしても利用でき、リラックスした入浴が行えるように構成されている。
【００１４】
このような隆起部２を一体形成した浴槽１の上面に覆設される風呂蓋３は、本例では図２のような断熱心材を中心部に配置し、その表裏両面に化粧板を積層一体化すると共に、外周部にエッジプロテクターを付設した２枚のパネルからなる組合せ蓋４であって、前記隆起部２と干渉し得る箇所に上方に突出した凸状形状部分５が備わっているものである。
【００１５】
通常、風呂蓋では製造上の寸法許容差が大きいため、フランジ部両端にヘッドレストないし背もたれのような隆起部が形成されている浴槽に対応し得るものとしては、前記ヘッドレスト隆起部の当接する部分を切り欠き、施蓋時に干渉しないようにした組合せ蓋が主流であった。しかしこれらは前記隆起部の形状に沿ったものでなければならなく、それぞれの浴槽で対応する風呂蓋を持たなければならなかった。逆に多様な隆起部に対応し得るように凹部の大きさを大きくすると強度上の問題が大きくなるという問題があった。
【００１６】
本発明の風呂蓋３は、組合せ蓋４の両端にヘッドレスト隆起部２を覆うことができるフランジ部上方に凸状の部分５を設けたものであって、前記凸状部分５は裏面に浴槽フランジ１ａより上方に突出した前記ヘッドレスト隆起部２全体を覆うことが可能な凹部５ａと、上面には前記凹部に沿うように形成された凸部５ｂとからなり、前記凸部と凹部との間の厚みは断熱性を持たせるため前記組合せ蓋部分４と略同一の厚さとしたものである。
【００１７】
このような構造を有した風呂蓋３により、断熱性および強度を損なうことなく、フランジ部にヘッドレストないし背もたれのような隆起部が形成された浴槽に対応することができ、また前記隆起部に当接せずに覆う構造としたことから、大きさや形状に関係なく多種の隆起部に対応でき、品番の削減やコストダウンが見込める。
【００１８】
上記した風呂蓋３を収納する際は、２枚のうちそれぞれの凸部と凹部を重ねて収納することができ、省スペースで収納することができる。例えばその構造として、凹部の水平断面における開口面積は下方部から上方部に向けて狭くなっており、凸部もそれに沿って根元側に比べて頂上側の方が小さくなっており、且つ前記凹部上方面よりも前記凸部頂上面が小さくなっていることで、凹部に凸部が収納されることになる。また、凸部を覆うように片方の凹部を前記凸部よりも一回り大きくし、大きさの違う凸部を設けることで凸部を凹部に収納できる組合せ蓋なども考えられる。
収納時のことを考慮すれば、組合せ蓋は浴槽長辺及び短辺で共に対称となっている形状が好ましいのは言うまでもない。
【００１９】
また使用上の便宜を図り、図６のように凸状部分に取っ手を兼ねた設計をすることも可能である。例えばその構造として、凸部に十分な厚みを持たせて手を掛けられるように切り欠きを入れたり、取っ手をつけたりすることがあげられる。凸部に手が掛かるような凹凸を設ければ、凸部が取っ手そのものにもなり得る。
【００２０】
なお、上記した本発明の風呂蓋の形態は２枚から成る組合せ蓋を示しているが、フランジ部に設けられた隆起部に対応し得る上方に凸状の部分を有するものであれば、２枚から成る組合せ蓋に限定されることなく、２枚以上の複数枚や一枚物の風呂蓋であっても本発明の範囲に含まれる。また、前記凸状部分は図７のように蓋本体と一体形成したものでなくてももちろん良い。
【００２１】
本発明の風呂蓋は、浴槽のフランジ部にヘッドレストや背もたれのような隆起部が形成されている浴槽であっても施蓋状態における隙間の発生を防ぐことができ、蓋本体を切り欠くことなく前記隆起部を覆うことが可能であり、蓋本体の厚みも十分に確保できるので断熱性を損なうことなく強度を確保できる。また、前記隆起部の高さや形状に関係なく施蓋でき、風呂蓋と浴槽の製造誤差を吸収することができる。
【図面の簡単な説明】
【００２２】
【図１】フランジ部にヘッドレストないし背もたれのような隆起部が形成された浴槽の斜視図である。
【図２】図１の浴槽と本発明の風呂蓋との対応を示した斜視図である。
【図３】図２に示した風呂蓋を浴槽に設置した状態の斜視図である。
【図４】施蓋した状態の隆起部の断面図である。
【図５】隆起部を覆う凸状部分の斜視図である。
【図６】凸状部分に取っ手の機能を設けた一例の斜視図である。
【図７】本発明で巻蓋を用いた一例である。
【符号の説明】
【００２３】
１…浴槽本体
１ａ…フランジ部
１ｂ…リム
１ｃ…浴槽内面
１ｄ…浴槽底面
２…隆起部
３…本発明における風呂蓋
４…組合せ蓋部分
５…隆起部被覆凸状部分
５ａ…凸状部分裏面
５ｂ…凸状部分上面
【図１】
2008161398.tif 000003
【図２】
2008161398.tif 000004
【図３】
2008161398.tif 000005
【図４】
2008161398.tif 000006
【図５】
2008161398.tif 000007
【図６】
2008161398.tif 000008
【図７】
2008161398.tif 000009